(57)【要約】【課題】消毒液の噴霧時に、ポンプ式消毒液ボトルのノズルが静止しているため、ノズルから噴霧する消毒液を受け取りやすい消毒装置を提供する。【解決手段】本発明の消毒装置は、縦長状の台座部と、台座部上に配設し、消毒液ボトルを載置するための置き台と、台座部と連結し、消毒液ボトルを収納するためのカバー部と、足踏みペダル部と、動作変換機構とを備える。動作変換機構は、カバー部の天壁と置き台との間で消毒液ボトルを加圧するために、足踏みペダル部を踏み込む動作を、置き台を押し上げる動作に変換する。【選択図】図１
2015100454.tif 000002
【特許請求の範囲】
【請求項１】
噴霧ノズルの付いた頭頂部を押圧することにより消毒液を噴霧して手を消毒するポンプ式の消毒液ボトルを使用するための消毒装置であって、
縦長状の台座部と、
台座部上に配設し、前記消毒液ボトルを載置するための置き台と、
置き台上の前記消毒液ボトルを収納し、側壁により消毒液ボトルの転倒を防止するカバー部であり、前記消毒液ボトルの噴霧ノズルを挿通するための開口を有し、台座部と連結するカバー部と、
台座部の下部に配置する足踏みペダル部と、
カバー部の天壁と置き台との間で前記消毒液ボトルを加圧するために、足踏みペダル部を踏み込む動作を、置き台を押し上げる動作に変換する動作変換機構と、
を備える消毒装置。
【請求項２】
カバー部と台座部との連結部は、横向きの凹部と該凹部に嵌合する横向きの凸部を複数組備え、台座部上でカバー部を正転すると凹部内に凸部が嵌合することによりカバー部と台座部とが係合し、台座部上でカバー部を逆転すると凹部から凸部が離脱することによりカバー部と台座部とが分離する請求項１に記載の消毒装置。
【請求項３】
カバー部の天壁は、前記消毒液ボトルの頭頂部を押圧できるような押圧体を備える請求項１又は２に記載の消毒装置。
【請求項４】
置き台は、下面の中央に軸部を備え、該軸部が、置き台よりも下方に配置する棒状体と回動自在に螺合し、棒状体の回りで置き台を回転することにより置き台の高さ位置を調節する請求項１〜３のいずれかに記載の消毒装置。
【発明の詳細な説明】
【技術分野】
【０００１】
本発明は、ポンプ式の消毒液ボトルを使用するための消毒装置に関する。特に、消毒液ボトルのノズルの方向を容易に変更可能な足踏み式消毒装置に関する。
【背景技術】
【０００２】
ノロウイルスやインフルエンザウイルス等のウイルスによる感染症を予防するために、病院、役所等の公共施設やオフィスの出入口にポンプ式の消毒液ボトルが置かれている。ポンプ式の消毒液ボトルは、建物に入るときに、噴霧ノズルの付いた頭頂部を手で押圧することにより、消毒液を噴霧するため、手を消毒し、ウイルスの持ち込みを防止して衛生管理を充実させることができる。ポンプ式の消毒液ボトルは、多くのメーカーが製造し、サイズは、幅９１ｍｍ×奥行７７ｍｍ×高さ２５０ｍｍ、幅８１ｍｍ×奥行８１ｍｍ×高さ２１０ｍｍ等、様々である。
【０００３】
ポンプ式の消毒液ボトルは、多くの人が頭頂部を押圧するため、頭頂部が汚染される虞がある。そこで、頭頂部を手で触ることなく、消毒液を噴霧できる足踏み式の消毒装置が考案されている（特許文献１参照）。図３は、従来の足踏み式消毒装置の斜視図である。この足踏み式消毒装置は、図３に示すように、ポンプ式の消毒液ボトル３１を載置する置き台３２と、消毒液ボトル３１のノズル付き頭頂部３３を下動する操作部３４と、足踏みペダル部３５と、足踏みペダル部３５の踏み込み動作を操作部３４の下動動作に変換する動作変換機構３６とを備える。したがって、消毒装置の足踏みペダル部３５を踏み込むと、動作変換機構３６により操作部３４がノズル付き頭頂部３３を下動し、消毒液を噴霧することができる。このため、図３に示す消毒装置によれば、足踏み操作により手を消毒することができ、消毒液ボトルの頭頂部を触れることがないため、頭頂部の汚染の問題を解消することができる。
【０００４】
しかし、図３に示す足踏み式消毒装置は、足踏みペダル部３５を踏み込むことにより操作部３４がノズル付き頭頂部３３を上から加圧し、消毒液を噴霧する機構である。このため、様々なサイズの消毒液ボトル３１を置き台３２上にきちんとセットしないと、加圧時に消毒液ボトル３１がバランスを崩して転倒する危険がある。そこで、加圧時に消毒液ボトルの転倒を防止することができる足踏み式消毒装置が考案されている（特許文献２参照）。図４は、従来の足踏み式消毒装置の斜視図である。この足踏み式消毒装置は、図４に示すように、ポンプ式の消毒液ボトル４１を載置する置き台４２と、消毒液ボトル４１のノズル付き頭頂部４３を下動するための操作部４４と、足踏みペダル部４５と、足踏みペダル部４５の踏み込み動作を操作部４４の下動動作に変換する動作変換機構とを備える。したがって、消毒装置の足踏みペダル部４５を踏み込むと、動作変換機構により操作部４４がノズル付き頭頂部４３を下動し、消毒液を噴霧する。また、消毒液ボトル４１のノズル付き頭頂部４３と操作部４４とは固定されているため、加圧時に消毒液ボトルが転倒する危険を回避することができる。
【先行技術文献】
【特許文献】
【０００５】
【特許文献１】特開２０１２−９０７２１号公報
【特許文献２】特開２０１１−１１０２５２号公報
【発明の概要】
【発明が解決しようとする課題】
【０００６】
特許文献２の足踏み式消毒装置は、特許文献１の足踏み式消毒装置における消毒液ボトルの転倒という問題を解消する。しかし、特許文献２の消毒装置では、消毒液ボトルのノズル付き頭頂部と、頭頂部を加圧する操作部とが固定されているため、消毒液ボトルのノズルの方向を容易に変更できない。また、この種の足踏み式消毒装置では、装置の使用者が足踏みペダル部を操作しながら手を消毒することを想定し、消毒液ボトルのノズルの方向と足踏みペダル部の方向とが一致するように設計されていることが多い。しかし、子供や身障者は、足踏みペダル部を上手に踏み込むことができないため、傍らに居る大人や健常者が代わりに足踏みペダル部を踏む必要がある。したがって、子供等が消毒装置を使用するときは、消毒装置のノズルの前に立っている子供等のために、ノズル方向と異なる方向を向いた踏み込みペダルを大人等が踏むことができるような態様が好ましい。本発明の課題は、消毒液ボトルのノズル方向を容易に変更できるため、子供や身障者も利用することができる消毒装置を提供しようとするものである。
【０００７】
特許文献１及び特許文献２の消毒装置は、足踏みペダル部を踏み込むことにより、操作部が、ポンプ式消毒液ボトルの頭頂部を加圧して消毒液を噴霧する。したがって、消毒液を噴霧する毎に、消毒液ボトルの頭頂部に配置するノズルが下降するため、ノズルから噴霧する消毒液を受け取りにくいという欠点がある。本発明は、消毒液の噴霧時に、ノズルが静止している消毒装置を提供することを課題とする。
【課題を解決するための手段】
【０００８】
本発明は、噴霧ノズルの付いた頭頂部を押圧することにより消毒液を噴霧して手を消毒するポンプ式の消毒液ボトルを使用するための消毒装置である。この消毒装置は、縦長状の台座部と、台座部上に配設し、消毒液ボトルを載置するための置き台と、カバー部と、台座部の下部に配置する足踏みペダル部と、動作変換機構とを備える。カバー部は、置き台上の消毒液ボトルを収納し、側壁により消毒液ボトルの転倒を防止する。また、カバー部は、消毒液ボトルの噴霧ノズルを挿通するための開口を有し、台座部と連結する。動作変換機構は、カバー部の天壁と置き台との間で消毒液ボトルを加圧するために、足踏みペダル部を踏み込む動作を、置き台を押し上げる動作に変換する。
【０００９】
カバー部と台座部との連結部は、横向きの凹部とこの凹部に嵌合する横向きの凸部とを複数組備える態様が好ましい。台座部上でカバー部を正転すると、凹部内に凸部が嵌合することによりカバー部と台座部とが係合し、台座部上でカバー部を逆転すると、凹部から凸部が離脱することによりカバー部と台座部とを分離する。カバー部の天壁は、消毒液ボトルの頭頂部を押圧できるような押圧体を備える態様が好適である。また、置き台は、下面の中央に軸部を備え、この軸部が、置き台よりも下方に配置する棒状体と回動自在に螺合し、棒状体の回りで置き台を回転することにより置き台の高さ位置を調節できる態様が好ましい。
【発明の効果】
【００１０】
ポンプ式消毒液ボトルのノズルの方向を容易に変更可能な足踏み式消毒装置を提供することができる。この消毒装置は、使用時に消毒液ボトルの転倒を回避することが可能であり、消毒液の噴霧時にノズルが静止しているため、消毒液を受け取り易い。
【図面の簡単な説明】
【００１１】
【図１】本発明の消毒装置の内部構造を例示する断面図である。
【図２】本発明の消毒装置の構造を例示する組み立て図である。
【図３】従来の足踏み式消毒装置の斜視図である。
【図４】従来の足踏み式消毒装置の斜視図である。
【図５】本発明の消毒装置におけるカバー部と台座部との連結方法を例示する説明図である。
【図６】本発明の消毒装置における置き台の構造を示す斜視図である。
【図７】本発明の消毒装置における回り止め部材の構成を例示する断面図である。
【図８】本発明の消毒装置の他の使用態様を示す断面図である。
【図９】本発明の消毒装置の他の態様を示す斜視図である。
【図１０】本発明の消毒装置に使用する動作変換機構の他の態様を示す断面図である。
【発明を実施するための形態】
【００１２】
図１は、本発明の消毒装置の内部構造を例示する断面図であり、図１（ａ）は消毒装置を使用する前の状態を示し、図１（ｂ）は消毒装置を使用しているときの状態を示す。本発明は、図１に示すように、ポンプ式の消毒液ボトル１０を使用するための消毒装置である。ポンプ式の消毒液ボトル１０は、消毒液を内蔵するボトル本体１１と、噴霧ノズル１２と、噴霧ノズル１２の付いた頭頂部１３とを備える。付勢に抗して頭頂部１３をボトル本体１１の方向に押圧すると、噴霧ノズル１２から消毒液が噴霧し、手を消毒することができる。
【００１３】
図１に例示する消毒装置は、縦長状の台座部１と、台座部１上に配設して消毒液ボトル１０を載置するための置き台２と、台座部１と連結するカバー部３と、台座部１の下部に配置する足踏みペダル部４と、動作変換機構とを備える。台座部１に連結するカバー部３は、置き台２上の消毒液ボトル１０を収納し、カバー部３の側壁により消毒液ボトル１０の転倒を防止する。また、カバー部３は、消毒液ボトル１０の噴霧ノズル１２を挿通するための開口を有する。
【００１４】
動作変換機構は、足踏みペダル部４を踏み込む動作を、置き台２を押し上げる動作に変換する。図１に示す例では、足踏みペダル部４は、支点４ｂを介してシーソー運動をする。このため、図１（ａ）に示す消毒装置の使用前の状態において、足踏みペダル部４を踏み込むと、図１（ｂ）に示すように、足踏みペダル部４の他端上に当接しているパイプ等の棒状体５が上昇し、置き台２を押し上げることができる。消毒液ボトル１０を収容するカバー部３は、台座部１と連結しているため、置き台２を押し上げることにより、カバー部３の天壁と置き台２との間で消毒液ボトル１０を加圧し、頭頂部１３をボトル本体１１の方向に押圧するため、消毒液を噴霧することができる。消毒液の噴霧が終了し、足踏みペダル部４から足をはずすと、消毒液ボトル１０と置き台２と棒状体５の自重により足踏みペダル部４は、図１（ａ）に示す使用前の状態に戻る。
【００１５】
したがって、消毒液ボトルの頭頂部を触ることなく、足踏み操作により手を消毒することができるため、不特定多数の保菌者が消毒液ボトルの頭頂部を触ることにより頭頂部が汚染するという問題を解消することができる。また、踏み込み力を調整することにより、消毒液の噴霧量を調整することができ、足踏み式であるため動力電源が不要であり、任意の場所で使用することができる。さらに、消毒液ボトルの頭頂部が静止した状態で、消毒液ボトルを載置する置き台を押し上げることにより消毒液を噴霧する機構であり、消毒液を噴霧するときにボトルの頭頂部にあるノズルが静止しているため、噴霧する消毒液を手で受け取りやすいという利点がある。また、消毒液ボトルが置き台上に露出している従来の消毒装置では、消毒液ボトルの盗難が頻発しているが、消毒液ボトルをカバー部で収納することにより、高価な消毒液ボトルの盗難を抑えることができる。
【００１６】
図１０は、本発明の消毒装置に使用する動作変換機構の他の態様を示す断面図である。図１０（ａ）と図１０（ｂ）に示す例では、足踏みペダル部４は、支点４ｂを介してシーソー運動をし、足踏みペダル部４と棒状体５とが軸６ａを介して枢着している。消毒装置の使用前の状態を示す図１０（ａ）において、足踏みペダル部４を踏み込むと、図１０（ｂ）に示すように、棒状体５が上昇し、置き台を押し上げることができる。消毒液の噴霧が終了し、足踏みペダル部４から足をはずすと、消毒液ボトルと置き台と棒状体の自重により足踏みペダル部４は、図１０（ａ）に示す使用前の状態に戻る。
【００１７】
図１０（ｃ）と図１０（ｄ）に示す例では、側面視コ字状の断面形状を有する足踏みペダル部４が軸４ａを介して支持台部１ａに枢着し、中間部材６が軸６ｂを介して支持台部１ａに枢着している。また、中間部材６の一端は、軸６ａを介して棒状体５と枢着し、他端はローラ６ｃを介して足踏みペダル部４の内側面に転接している。消毒装置の使用前の状態を示す図１０（ｃ）において、足踏みペダル部４を踏み込むと、図１０（ｄ）に示すように、中間体６が回動するため、棒状体５が上昇し、置き台を押し上げることができる。消毒液の噴霧が終了し、足踏みペダル部４から足をはずすと、消毒液ボトルと置き台と棒状体の自重により足踏みペダル部４は、図１０（ｃ）に示す使用前の状態に戻る。
【００１８】
図２は、本発明の消毒装置の構造を例示する組み立て図である。この消毒装置は、図２に示すように、縦長状の台座部１を備え、台座部１は、支持台部１ａと、円筒状の柱部１ｂと、カバー部と接合する連結部１ｃとを有し、支持台部１ａには足踏みペダル部４を備える。消毒液ボトル１０を載置するための置き台２は、動作変換機構として機能する棒状体５と連結した後、棒状体５を、円筒状の柱部１ｂ内に挿入することにより、棒状体５の下端が足踏みペダル部４上に配置し、置き台２は台座部１の連結部１ｃ上に配設する。つぎに、置き台２上の消毒液ボトル１０を収納するカバー部３を配置し、カバー部３は、台座部１における連結部１ｃと接合する。カバー部３は、消毒液ボトル１０の噴霧ノズル１２を挿通するための開口３ａを有する。
【００１９】
本発明の消毒装置は、置き台上に載置する消毒液ボトルをカバー部で収納し、カバー部の内側の側壁により消毒液ボトルの転倒を防止する。また、消毒液ボトルの頭頂部にあるノズルをカバー部の開口に挿通するため、消毒液ボトルの頭頂部の自由移動が抑制され、消毒液ボトルの転倒防止に寄与する。カバー部で収納する消毒液ボトルの幅や奥行は様々であり、様々の消毒液ボトルを使用できるように、収納する消毒液ボトルの外側寸法に合わせてカバー部の内側寸法を広めに設計する態様が好ましい。一方、消毒液ボトルの外壁とカバー部の内壁との間に多少の隙間があっても、カバー部の内壁により消毒液ボトルの転倒を防止できるようにカバー部の内側寸法を設計する態様が好ましい。
【００２０】
図５は、本発明の消毒装置におけるカバー部と台座部との連結方法を例示する説明図であり、図５（ａ）は連結する前の状態を示し、図５（ｂ）の状態を経て、図５（ｃ）は連結後の状態を示す。図５では、連結方法を示すため、カバー部３の下部と台座部１の上部を示す。また、説明の便宜上、台座部１において柱部１ｂ上に配置する連結部１ｃは透視図で表す。図５（ａ）に示すように、カバー部３と台座部１との連結部位には、横向きの凹部１ｃ１と、凹部１ｃ１に嵌合する横向きの凸部３ｂを複数組備える態様が好ましい。図５（ａ）には、開口３ａを有するカバー部３が凸部３ｂを備え、台座部１における連結部１ｃが凹部１ｃ１を備える態様を示す。しかし、カバー部が凹部を備え、台座部が凸部を備える態様、またはカバー部が凸部と凹部とを備え、これらと嵌合する凹部と凸部とを台座部が備える態様であっても同様の機能を発揮する。
【００２１】
カバー部３と台座部１を連結するときは、まず、図５（ａ）に示すように、カバー部３を台座部１に向って矢印の方向に下降する。つぎに、図５（ｂ）に示すように、カバー部３を連結部１ｃ上にまで下降すると、カバー部３の凸部３ｂが、連結部１ｃの凹部１ｃ１の正面に配置する。したがって、矢印の方向に台座部１上でカバー部３を正転すると、図５（ｃ）に示すように、凹部１ｃ１内に凸部３ｂが嵌合するため、カバー部３と台座部１とを容易に係合することができる。一方、連結しているカバー部３と台座部１とを分離するときは、逆の手順により、台座部１上でカバー部３を逆転することにより、凹部１ｃ１から凸部３ｂを離脱するため、カバー部３と台座部１とを容易に分離することができる。したがって、本発明の消毒装置では、消毒液ボトルを収納するカバー部の取り付けと取り外しが容易である。また、消毒液ボトルの頭頂部は消毒装置に固定していないため、消毒液ボトルを容易に交換することができる。
【００２２】
たとえば、相互に嵌合する凹部と凸部とを、平面視９０度毎に４組配置する態様では、各組の凹部と凸部とを各々同一の仕様とすることにより、カバー部の台座部に対する配置を９０度毎に変更することができる。カバー部と台座部との連結と分離は容易に行うことができ、消毒液ボトルは置き台上で固定していない。このため、カバー部の開口から突き出している消毒液ボトルの噴霧ノズルの方向を、消毒装置の正面と背面と右側面と左側面の各方向に容易に変更することができる。
【００２３】
したがって、本発明の消毒装置は、消毒液ボトルの噴霧ノズルが足踏みペダル部の方向を向いた状態で、消毒装置の使用者自らが足踏みペダル部を操作しながら手を消毒する態様に使用することができる。また、その後、カバー部の向きを変更し、噴霧ノズルの前に居る子供や身障者が手を消毒するために、消毒装置の左右や、消毒装置を挟んで正面に居る大人や健常者が代わりに足踏みペダル部を踏む態様で使用することもできる。凹部と凸部とを、平面視９０度毎に４ヶ所に配置する例について説明したが、必要に応じて平面視１２０度毎に３ヶ所配置する態様や、７２度毎に５ヶ所配置する態様等とすることも可能であり、様々なニーズに対応することができる。
【００２４】
図６は、本発明の消毒装置における置き台の構造を示す斜視図である。図６に示す例では、置き台２は、下面の中央に軸部２ａを備え、軸部２ａが、置き台２よりも下方に配置する棒状体５と回動自在に螺合する。図２に示すように、消毒装置における置き台の高さ位置は、棒状体５の長さ寸法に左右されるが、図５に示す態様によれば、棒状体５の回りで置き台２を回転することにより置き台２の高さ位置を調節することができる。このため、図１に示すように、様々のサイズの消毒液ボトル１０の高さ寸法に合わせて置き台２の高さ位置を調整することができ、消毒液ボトル１０の頭頂部１３をカバー部３の天壁の高さ位置に調節することが可能である。かかる態様は、足踏みペダル部の踏み込み動作に対応して直ちに消毒液を噴霧することができる点で好ましい。
【００２５】
図６に示すように、置き台２の下面の軸部２ａに配置するネジは、軸方向に溝部２ａ１を有し、棒状体５に配置する回り止め部材５ａを溝部２ａ１へ挿入することにより置き台２の自由回転を防止する態様が好ましい。かかる態様によれば、棒状体５の回りで置き台２を回転し、置き台の高さ位置を調節した後、消毒装置の使用に際して置き台の不用意な回転を防止することができ、置き台の高さ位置を再調整する必要が無くなる点で好ましい。
【００２６】
図７は、本発明の消毒装置における回り止め部材の構成を例示する断面図であり、図７（ａ）は、棒状体５の回りで置き台の軸部２ａが自由に回転できる状態を示し、図７（ｂ）は、置き台の軸部２ａの回転が阻害されている状態を示す。また、図７に示す例では、置き台下面に配置する軸部２ａに溝部２ａ１が２ヶ所配置している。図７（ａ）に示す状態では、棒状体５に配置する回り止め部材５ａが矢印に示す方向に移動し、回り止め部材５ａが軸部２ａの溝部２ａ１に挿入していないため、置き台の軸部２ａが自由に回転し、置き台の高さ位置を調整することができる。一方、図７（ｂ）に示す状態では、回り止め部材５ａが矢印に示す方向に移動し、回り止め部材５ａが軸部２ａの溝部２ａ１に挿入しているため、置き台の軸部２ａの回転が阻害され、置き台の高さ位置を保持することができる。
【００２７】
図７に示す例では、回り止め部材５ａが、置き台下面の軸部２ａに向って付勢するバネ等の付勢手段５ａ１を備えている。かかる態様は、図７（ｂ）に示すように、消毒装置を使用しているときに、回り止め部材５ａが溝部２ａ１に挿入された状態を保持するため、置き台の高さ位置を確実に保持できる点で好ましい。また、図７（ａ）に示すように、置き台の高さ位置を調整するときは、付勢手段５ａ１に抗して回り止め部材５ａを矢印の方向に引っ張ることにより、軸部２ａを自由に回転することができる。
【００２８】
図８は、本発明の消毒装置の他の使用態様を示す断面図であり、図８（ａ）は使用前の状態を示し、図８（ｂ）は使用中の状態を示す。図８に示す例では、消毒装置のカバー部３の天壁が、押圧体３ｃを備える。図８（ａ）に示す状態で、押圧体３ｃを手で押圧すると、図８（ｂ）に示すように、カバー部３内に配置する消毒液ボトル１０の頭頂部１３を矢印の方向に押圧するため、消毒液を噴霧することができる。したがって、消毒装置を使用する人の中に、足の不自由な人が含まれている場合にも、本発明の消毒装置の有効性が低下しない。
【００２９】
図９は、本発明の消毒装置の他の態様を示す斜視図である。図９（ａ）に例示する筒状部材１ｄと、筒状部材１ｄを支持する付属部品１ｅ，１ｆとにより、図９（ｂ）に示すように、縦長状の台座部の周囲に筒状部材１ｄを配置することができる。台座の周囲に配置する筒状部材は、各種の宣伝広告に利用することができるため、消毒装置の付加価値を高めることが可能である。図９に示す例では、筒状部材１ｄは円筒状であるが、必要に応じて、水平断面を楕円形、三角形、四角形又は五角形以上の多角形とし、宣伝広告効果を高めることができる。
【００３０】
台座部、カバー部と置き台は、ステンレスチール等の金属やプラスチックにより形成することができるが、軽量化が可能となり、小さく、持ち運びが容易となる点で、材料はプラスチックが好適である。プラスチックとしては、ポリエチレン、ポリプロピレン、ポリ塩化ビニル、ポリカーボネート等を使用できるが、消毒装置が転倒した場合の破損を回避する点で、耐衝撃性に優れた材料であるポリカーボネートが好ましい。台座部、カバー部と置き台等は、これらの材料を使用し、射出成形により形成することができる。
【産業上の利用可能性】
【００３１】
本発明の消毒装置は、消毒液ボトルのノズルの方向を容易に変更可能であるため、子供や身障者も利用することができる。
【符号の説明】
【００３２】
１  台座部
１ａ  支持台部
１ｂ  柱部
１ｃ  連結部
１ｃ１  凹部
２  置き台
２ａ  軸部
２ａ１  溝部
３  カバー部
３ａ  開口
３ｂ  凸部
３ｃ  押圧体
４  足踏みペダル部
５  棒状体
５ａ  回り止め部材
５ａ１  付勢手段
１０  消毒液ボトル
１１  ボトル本体
１２  噴霧ノズル
１３  頭頂部
【図１】
2015100454.tif 000003
【図２】
2015100454.tif 000004
【図３】
2015100454.tif 000005
【図４】
2015100454.tif 000006
【図５】
2015100454.tif 000007
【図６】
2015100454.tif 000008
【図７】
2015100454.tif 000009
【図８】
2015100454.tif 000010
【図９】
2015100454.tif 000011
【図１０】
2015100454.tif 000012